(57)【要約】  記録媒体から、記録媒体に関連付けられたオーディオデータを再生する再生方法、再生装置、および記録媒体、ならびにオーディオデータを記録媒体に記録する記録方法、および記録装置を開示する。オーディオデータを再生する再生方法は、オーディオデータの再生を管理するための管理情報に含まれるミキシングインジケータをチェックすることと、ミキシングインジケータに基づいて、一次オーディオを、二次オーディオおよび／またはインタラクティブオーディオとミックスするか否かを制御することとを備える。ここで、ミキシングインジケータは、一次オーディオにミキシングを適用するか否かを示す。
2009516322.tif 000002
【特許請求の範囲】
【請求項１】
オーディオデータを再生する再生方法であって、
前記オーディオデータの再生を管理するための管理情報に含まれるミキシングインジケータをチェックすることであって、該ミキシングインジケータは、一次オーディオにミキシングを適用するか否かを示す、チェックすることと、
前記ミキシングインジケータに基づいて、前記一次オーディオを、二次オーディオおよび／またはインタラクティブオーディオとミックスするか否かを制御することと
を備えることを特徴とする再生方法。
【請求項２】
前記ミキシングインジケータが前記ミキシングを適用しないと示した場合、前記一次オーディオは、前記二次オーディオおよび／または前記インタラクティブオーディオとミックスされない
ことを特徴とする請求項１に記載の再生方法。
【請求項３】
前記二次オーディオおよび／または前記インタラクティブオーディオとミックスされなかった前記一次オーディオは、デジタル出力部によってデジタル伝送信号に変換される
ことを特徴とする請求項２に記載の再生方法。
【請求項４】
前記デジタル伝送信号は、デジタル−アナログコンバータ（ＤＡＣ）に伝送され、該ＤＡＣによってアナログ出力信号に変換される
ことを特徴とする請求項３に記載の再生方法。
【請求項５】
前記ミキシングインジケータが前記ミキシングを適用すると示した場合、前記一次オーディオは、前記二次オーディオおよび／または前記インタラクティブオーディオとミックスされる
ことを特徴とする請求項１に記載の再生方法。
【請求項６】
前記二次オーディオおよび／または前記インタラクティブオーディオとミックスされた前記一次オーディオはエンコードされ、該エンコードされた一次オーディオは、デジタル出力部によってデジタル伝送信号に変換される
ことを特徴とする請求項５に記載の再生方法。
【請求項７】
前記デジタル伝送信号は、デジタル出力部に伝送され、該デジタル出力部に含まれるデジタル−アナログコンバータ（ＤＡＣ）によってアナログ出力信号に変換される
ことを特徴とする請求項６に記載の再生方法。
【請求項８】
前記エンコードされた一次オーディオは、前記一次オーディオと同数以上のチャンネルを有する
ことを特徴とする請求項６に記載の再生方法。
【請求項９】
前記ミキシングインジケータが前記ミキシングを適用すると示した場合、
前記制御することは、
前記一次オーディオを、前記二次オーディオおよび／または前記インタラクティブオーディオとミックスするか否かを決定すること
を含むことを特徴とする請求項１に記載の再生方法。
【請求項１０】
オーディオデータを再生する再生装置であって、
一次オーディオを、二次オーディオおよび／またはインタラクティブオーディオとミックスするミキサと、
前記オーディオデータの再生を管理するための管理情報に含まれるミキシングインジケータをチェックして、該ミキシングインジケータに基づいて、前記一次オーディオを、前記二次オーディオおよび／または前記インタラクティブオーディオとミックスするか否かを制御するコントローラであって、前記ミキシングインジケータは、前記一次オーディオにミキシングを適用するか否かを示す、コントローラと
を備えたことを特徴とする再生装置。
【請求項１１】
前記ミキシングインジケータが前記ミキシングを適用しないと示した場合、前記コントローラは、前記一次オーディオが前記二次オーディオおよび／または前記インタラクティブオーディオとミックスされないように制御する
ことを特徴とする請求項１０に記載の再生装置。
【請求項１２】
前記ミキシングインジケータが前記ミキシングを適用すると示した場合、前記コントローラは、前記一次オーディオが前記二次オーディオおよび／または前記インタラクティブオーディオとミックスされるように制御する
ことを特徴とする請求項１０に記載の再生装置。
【請求項１３】
前記二次オーディオおよび／または前記インタラクティブオーディオとミックスされた前記一次オーディオをビットストリームにエンコードするエンコーダ
をさらに備えたことを特徴とする請求項１１に記載の再生装置。
【請求項１４】
前記オーディオビットストリームは、前記一次オーディオと同数以上のチャンネルを有する
ことを特徴とする請求項１３に記載の再生装置。
【請求項１５】
オーディオビットストリームをデジタル伝送信号に変換するデジタル出力部
をさらに備えたことを特徴とする請求項１０に記載の再生装置。
【請求項１６】
デジタル伝送信号をアナログ出力信号に変換するデジタル−アナログコンバータ（ＤＡＣ）
をさらに備えたことを特徴とする請求項１０に記載の再生装置。
【請求項１７】
前記コントローラは、前記ミキシングインジケータが前記ミキシングを適用すると示した場合、前記一次オーディオを、前記二次オーディオおよび／または前記インタラクティブオーディオとミックスするか否かを決定し、該決定に基づいて前記ミキサを制御する
ことを特徴とする請求項１０に記載の再生方法。
【請求項１８】
オーディオデータを有する記録媒体であって、
一次オーディオを含む少なくとも１つのストリームファイルと、
前記一次オーディオにミキシングを適用するか否かを示すミキシングインジケータと
を備えたことを特徴とする記録媒体。
【請求項１９】
前記ミキシングインジケータは、前記一次オーディオが二次オーディオおよび／またはインタラクティブオーディオとミックスされないこと、あるいは前記一次オーディオが前記二次オーディオおよび／または前記インタラクティブオーディオとミキシング可能であることを示す
ことを特徴とする請求項１８に記載の記録媒体。
【請求項２０】
前記ミキシングインジケータは、前記ストリームファイルの再生を管理するためのプレイリストファイルに含まれる
ことを特徴とする請求項１８に記載の記録媒体。
【請求項２１】
前記ミキシングインジケータは、前記ミキシングを前記プレイリストファイルに適用するか否かを示す
ことを特徴とする請求項２０に記載の記録媒体。
【請求項２２】
前記ミキシングインジケータは、ストリーム属性情報として、前記プレイリストファイルに含まれる
ことを特徴とする請求項２０に記載の記録媒体。
【請求項２３】
前記ミキシングインジケータは、前記ストリームファイルに対応するクリップ情報ファイルに含まれる
ことを特徴とする請求項１８に記載の記録媒体。
【請求項２４】
オーディオデータを記録媒体に記録する記録方法であって、
一次オーディオを含む少なくとも１つのストリームファイルと、該ストリームファイルの再生を管理するための管理情報とを前記記録媒体に記録すること
を備え、
前記管理情報は、前記一次オーディオにミキシングを適用するか否かを示すミキシングインジケータを含む
ことを特徴とする記録方法。
【請求項２５】
前記ミキシングインジケータを含む前記管理情報は、前記ストリームファイルの再生を管理するためのプレイリストファイルである
ことを特徴とする請求項２４に記載の記録方法。
【請求項２６】
前記ミキシングインジケータを含む管理情報は、前記ストリームファイルに対応するクリップ情報ファイルである
ことを特徴とする請求項２４に記載の記録方法。
【請求項２７】
オーディオデータを記録媒体に記録する記録装置であって、
前記記録媒体にデータを記録する記録部と、
一次オーディオを含む少なくとも１つのストリームファイルと、該ストリームファイルの再生を管理するための管理情報とを前記記録媒体に記録する前記記録部を制御するコントローラと
を備え、
前記管理情報は、前記一次オーディオにミキシングを適用するか否かを示すミキシングインジケータを含む
ことを特徴とする記録装置。
【請求項２８】
前記ミキシングインジケータを含む前記管理情報は、前記ストリームファイルの再生を管理するためのプレイリストファイルである
ことを特徴とする請求項２７に記載の記録装置。
【請求項２９】
前記ミキシングインジケータを含む前記管理情報は、前記ストリームファイルに対応するクリップ情報ファイルである
ことを特徴とする請求項２７に記載の記録装置。
【請求項３０】
オーディオデータの再生を管理するデータ構造を生成する方法であって、
一次オーディオを含む少なくとも１つのストリームファイルを生成することと、
前記ストリームファイルの再生を管理するための少なくとも１つの管理ファイルを生成することと
を備え、
前記管理ファイルは、前記一次オーディオにミキシングを適用するか否かを示すミキシングインジケータを含む
ことを特徴とする方法。
【請求項３１】
前記管理ファイルは、前記ストリームファイルの再生を管理するためのプレイリストファイルである
ことを特徴とする請求項３０に記載の方法。
【請求項３２】
前記管理ファイルは、前記ストリームファイルに対応するクリップ情報ファイルである
ことを特徴とする請求項３０に記載の方法。
【請求項３３】
オーディオデータの再生を管理するためのデータ構造を生成する装置であって、
一次オーディオを含む少なくとも１つのストリームファイルと、該ストリームファイルの再生を管理するための少なくとも１つの管理ファイルとを生成するコントローラ
を備え、
前記管理ファイルは、前記一次オーディオにミキシングを適用するか否かを示すミキシングインジケータを含む
ことを特徴とする装置。
【請求項３４】
前記管理ファイルは、前記ストリームファイルの再生を管理するためのプレイリストファイルである
ことを特徴とする請求項３３に記載の装置。
【請求項３５】
前記管理ファイルは、前記ストリームファイルに対応するクリップ情報ファイルである
ことを特徴とする請求項３０に記載の装置。
【請求項３６】
記録媒体に関連付けられたオーディオデータを再生する再生方法であって、
前記記録媒体に関連付けられた少なくとも１つの管理ファイルをダウンロードすることであって、前記管理ファイルは、一次オーディオを含む少なくとも１つのストリームファイルの再生を管理する、ダウンロードすることと、
前記ストリームファイルと前記ダウンロードした管理ファイルとを含む仮想パッケージを生成することと、
前記ダウンロードした管理ファイルに含まれるミキシングインジケータをチェックすることであって、前記ミキシングインジケータは、前記一次オーディオにミキシングを適用するか否かを示す、チェックすることと、
前記ミキシングインジケータに基づいて、前記一次オーディオを、二次オーディオおよび／またはインタラクティブオーディオとミックスするか否かを制御することと
を備えることを特徴とする再生方法。
【請求項３７】
前記ミキシングインジケータが前記ミキシングを適用しないと示した場合、前記一次オーディオは、前記二次オーディオおよび／または前記インタラクティブオーディオとミックスされず、
前記ミキシングインジケータが前記ミキシングを適用すると示した場合、前記一次オーディオは、前記二次オーディオおよび／または前記インタラクティブオーディオとミックスされる
ことを特徴とする請求項３６に記載の再生方法。
【請求項３８】
前記二次オーディオおよび／または前記インタラクティブオーディオとミックスされなかった前記一次オーディオは、デジタル出力部によってデジタル伝送信号に変換される
ことを特徴とする請求項３７に記載の再生方法。
【請求項３９】
前記二次オーディオおよび／または前記インタラクティブオーディオとミックスされた前記一次オーディオはエンコードされ、該エンコードされた一次オーディオは、デジタル出力部によってデジタル伝送信号に変換される
ことを特徴とする請求項３７に記載の再生方法。
【請求項４０】
前記管理ファイルは、前記ストリームファイルの再生を管理するためのプレイリストファイルである
ことを特徴とする請求項３７に記載の再生方法。
【請求項４１】
前記管理ファイルは、前記ストリームファイルに対応するクリップ情報ファイルである
ことを特徴とする請求項３７に記載の再生方法。
【請求項４２】
記録媒体に関連付けられたオーディオデータを再生するための再生装置であって、
前記記録媒体に関連付けられたダウンロードしたデータを保存するストレージと、
前記記録媒体に関連付けられた少なくとも１つの管理ファイルを前記ストレージにダウンロードするコントローラと
を備え、
前記管理ファイルは、一次オーディオを含む少なくとも１つのストリームファイルの再生を管理し、
前記コントローラは、前記ストリームファイルと前記ダウンロードした管理ファイルとを含む仮想パッケージを生成し、
前記コントローラは、前記ダウンロードした管理ファイルに含まれるミキシングインジケータをチェックし、
前記ミキシングデータは、前記一次オーディオにミキシングを適用するか否かを示し、
前記コントローラは、前記ミキシングインジケータに基づいて、前記一次オーディオを、二次オーディオおよび／またはインタラクティブオーディオとミックスするか否かを制御する
ことを特徴とする再生装置。
【請求項４３】
前記コントローラは、
前記ミキシングインジケータが前記ミキシングを適用しないと示した場合、前記一次オーディオが前記二次オーディオおよび／または前記インタラクティブオーディオとミックスされないように制御し、
前記ミキシングインジケータが前記ミキシングを適用すると示した場合、前記一次オーディオが前記二次オーディオおよび／または前記インタラクティブオーディオとミックスされるように制御する
ことを特徴とする請求項４２に記載の再生装置。
【請求項４４】
前記二次オーディオおよび／または前記インタラクティブオーディオとミックスされた前記一次オーディオをオーディオビットストリームにエンコードするエンコーダ
をさらに備えたことを特徴とする請求項４３に記載の再生装置。
【請求項４５】
オーディオビットストリームをデジタル伝送信号に変換するデジタル出力部
をさらに備えたことを特徴とする請求項４３に記載の再生装置。
【請求項４６】
デジタル伝送信号をアナログ出力信号に変換するデジタル−アナログコンバータ（ＤＡＣ）
をさらに備えたことを特徴とする請求項４３に記載の再生装置。
【請求項４７】
オーディオデータを再生する再生方法であって、
前記オーディオデータの再生を管理するための管理情報に含まれるミキサバイパスインジケータ（ｍｉｘｅｒ  ｂｙｐａｓｓ  ｉｎｄｉｃａｔｏｒ）をチェックすることであって、前記ミキサバイパスインジケータは、二次オーディオおよび／またはインタラクティブオーディオ用のミキサをバイパスするか否かを示す、チェックすることと、
前記ミキサバイパスインジケータに基づいて、前記ミキサをバイパスするか否かを制御することと
を備えることを特徴とする再生方法。
【請求項４８】
オーディオデータを有する記録媒体であって、
一次オーディオを含む少なくとも１つのストリームファイルと、
該ストリームファイルの再生を管理するための少なくとも１つの管理ファイルであって、二次オーディオおよび／またはインタラクティブオーディオ用のミキサをバイパスするか否かを示すミキサバイパスインジケータを含む少なくとも１つの管理ファイルと
を備えたことを特徴とする記録媒体。
【発明の詳細な説明】
【技術分野】
【０００１】
本発明は、記録媒体に関連付けられたオーディオデータを再生する再生方法、再生装置、および記録媒体、ならびにオーディオデータを記録媒体に記録する記録方法、および記録装置に関する。
【背景技術】
【０００２】
記録媒体として、大容量のデータを記録できる光ディスクが広く使用されている。そのような光ディスクの中でも、高画質のビデオデータと高音質のオーディオデータとを長時間記録して保存できる、例えば、ブルーレイディスク（ＢＤ）や高密度デジタルビデオディスク（ＨＤ−ＤＶＤ）といった新しい高密度記録媒体が開発されている。
【０００３】
次世代記録媒体技術であると考えられている高密度記録媒体は、既存のＤＶＤを著しく超えるデータを記録できる次世代光記録ソリューションであり、他のデジタル機器と共に開発されている。
【発明の開示】
【発明が解決しようとする課題】
【０００４】
高密度記録媒体に関する規格を用いた光記録再生装置も開発されてきている。しかし、高密度記録媒体に関する規格は、完全に確立されているわけではないので、光記録再生装置の開発には困難がある。
【０００５】
特に、外部入力信号および／または高密度記録媒体に記録されたオーディオデータを再生する好適な方法が知られていないため、高密度記録媒体に基づく光記録再生装置を開発するには制約がある。
【０００６】
したがって、本発明は、記録媒体に関連付けられたオーディオデータを再生する再生方法、再生装置、および記録媒体、ならびにオーディオデータを記録媒体に記録する記録方法、および記録装置に関するものであって、関連技術の制約および短所による問題点を取り除くためのものである。
【０００７】
本発明の目的は、外部入力信号および／または高密度記録媒体から提供される様々なオーディオデータの再生を制御することにある。
【０００８】
本発明の別の目的は、オーディオデータの再生を管理するための管理情報に含まれ、かつミキシングがそのオーディオデータに適用されるか否かを示すミキシングインジケータに基づいて、そのオーディオデータを再生する再生方法および再生装置を提供することにある。
【０００９】
本発明のさらに別の目的は、ミキシングインジケータが記録された記録媒体と、ミキシングインジケータに基づいてオーディオデータを記録媒体に記録する記録方法および記録装置とを提供することにある。
【００１０】
本発明のさらなる利点、目的、および特徴は、部分的には以下の説明から明らかになり、部分的には当業者が以下の説明から明らかになるか、または本発明を実施することによって習得することができる。
【００１１】
本発明の目的および他の利点は、発明の詳細な説明と特許請求の範囲とに加えて、添付の図面において特に示される構成から得ることができる。
【課題を解決するための手段】
【００１２】
上記の目的および他の利点を達成するために、本明細書で広義に説明され、具現化されるように、本発明の目的にしたがうと、オーディオデータを再生する再生方法が提供される。この方法は、オーディオデータの再生を管理するための管理情報に含まれるミキシングインジケータをチェックすることと、ミキシングインジケータに基づいて、一次オーディオと、二次オーディオおよび／またはインタラクティブオーディオ（Ｉｎｔｅｒａｃｔｉｖｅ  ａｕｄｉｏ）とをミックスするか否かを制御することとを備える。ここで、ミキシングインジケータは、一次オーディオにミキシングを適用するか否かを示す。
【００１３】
本発明において、ミキシングインジケータがミキシングを適用しないと示した場合、一次オーディオは、二次オーディオおよび／またはインタラクティブオーディオとミックスされない。
【００１４】
本発明において、二次オーディオおよび／またはインタラクティブオーディオとミックスされなかった一次オーディオは、デジタル出力部によってデジタル伝送信号に変換することができ、このデジタル伝送信号は、デジタル−アナログコンバータ（ＤＡＣ）に伝送して、このＤＡＣによってアナログ出力信号として出力することができる。
【００１５】
本発明において、ミキシングインジケータがミキシングを適用すると示した場合、一次オーディオは、二次オーディオおよび／またはインタラクティブオーディオとミックスすることができる。
【００１６】
本発明において、二次オーディオおよび／またはインタラクティブオーディオ信号とミックスされた一次オーディオは、エンコードすることができる。このエンコードされた一次オーディオは、デジタル出力部によってデジタル伝送信号に変換することができる。このデジタル伝送信号は、デジタル出力部に伝送して、当該デジタル出力部に含まれるデジタル−アナログコンバータ（ＤＡＣ）によってアナログ出力信号に変換することができる。
【００１７】
本発明において、エンコードされた一次オーディオ信号は、エンコードされる前の一次オーディオと同数以上のチャンネルを有することができる。
【００１８】
本発明において、前記制御することには、ミキシングインジケータがミキシングを適用すると示した場合、一次オーディオを、二次オーディオおよび／またはインタラクティブオーディオとミックスするか否かを決定することを含めることができる。
【００１９】
本発明の他の側面にしたがうと、オーディオデータを再生する再生装置が提供される。この装置は、一次オーディオを、二次オーディオおよび／またはインタラクティブオーディオとミックスするミキサと、オーディオデータの再生を管理するための管理情報に含まれるミキシングインジケータをチェックして、当該ミキシングインジケータに基づいて、一次オーディオを、二次オーディオおよび／またはインタラクティブオーディオとミックスするか否かを制御するコントローラとを備える。ここで、ミキシングインジケータは、ミキシングを適用するか否かを示す。
【００２０】
本発明において、ミキシングインジケータがミキシングを適用しないと示した場合、コントローラは、一次オーディオが二次オーディオおよび／またはインタラクティブオーディオとミックスされないように制御することができる。
【００２１】
本発明において、ミキシングインジケータがミキシングを適用すると示した場合、コントローラは、一次オーディオが二次オーディオおよび／またはインタラクティブオーディオとミックスされるように制御することができる。
【００２２】
本発明において、ミキシングインジケータがミキシングを適用すると示した場合、コントローラは、一次オーディオを、二次オーディオおよび／またはインタラクティブオーディオとミックスするか否かを決定し、当該決定に基づいて、ミキサを制御する。
【００２３】
本発明において、この装置は、二次オーディオおよび／またはインタラクティブオーディオとミックスされた一次オーディオを、オーディオビットストリームにエンコードするエンコーダをさらに備える。
【００２４】
本発明において、オーディオビットストリームは、一次オーディオと同数以上のチャンネルを有することができる。
【００２５】
本発明において、この装置は、オーディオビットストリームをデジタル伝送信号に変換するデジタル出力部をさらに備える。
【００２６】
本発明の他の側面にしたがうと、オーディオデータを有する記録媒体が提供される。この記録媒体は、一次オーディオを含む少なくとも１つのストリームファイルと、一次オーディオにミキシングを適用するか否かを示すミキシングインジケータとを備える。
【００２７】
本発明において、ミキシングインジケータは、一次オーディオが二次オーディオおよびインタラクティブオーディオとミックスされないこと、あるいは、一次オーディオが二次オーディオおよび／またはインタラクティブオーディオとミキシング可能であることを示すことができる。
【００２８】
本発明において、ミキシングインジケータは、ストリームファイルの再生を管理するためのプレイリストファイルに含めることができる。このミキシングインジケータは、プレイリストファイルにミキシングを適用するか否かを示すことができる。
【００２９】
本発明において、ミキシングインジケータは、ストリーム属性情報として、プレイリストファイル内に含めることができる。
【００３０】
本発明において、ミキシングインジケータは、ストリームファイルに対応するクリップ情報ファイル内に含めることもできる。
【００３１】
本発明の他の側面にしたがうと、オーディオデータを記録媒体に記録する記録方法が提供される。この方法は、一次オーディオを含む少なくとも１つのストリームファイルと、当該ストリームファイルの再生を管理するための管理情報とを記録することを備える。ここで、管理情報は、一次オーディオにミキシングを適用するか否かを示すミキシングインジケータを含む。
【００３２】
本発明において、ミキシングインジケータを含む管理情報は、ストリームファイルの再生を管理するためのプレイリストファイルとすることができる。
【００３３】
本発明において、ミキシングインジケータを含む管理情報は、ストリームファイルに対応するクリップ情報ファイルとすることもできる。
【００３４】
本発明の他の側面にしたがうと、オーディオデータを記録媒体に記録する記録装置が提供される。この装置は、記録媒体にデータを記録する記録部と、当該記録部を制御して、一次オーディオを含む少なくとも１つのストリームファイルと当該ストリームファイルの再生を管理するための管理情報とを記録媒体に記録するコントローラとを備える。ここで、管理情報は、一次オーディオにミキシングを適用するか否かを示すミキシングインジケータを含む。
【００３５】
本発明の他の側面にしたがうと、オーディオデータの再生を管理するデータ構造を生成する方法が提供される。この方法は、一次オーディオを含む少なくとも１つのストリームファイルを生成することと、当該ストリームファイルの再生を管理するための少なくとも１つの管理ファイルを生成することとを備える。ここで、管理ファイルは、一次オーディオにミキシングを適用するか否かを示すミキシングインジケータを含む。
【００３６】
本発明の他の側面にしたがうと、オーディオデータの再生を管理するデータ構造を生成する装置が提供される。この装置は、一次オーディオを含む少なくとも１つのストリームファイルと、当該ストリームファイルの再生を管理するための少なくとも１つの管理ファイルとを生成するコントローラを備える。ここで、管理ファイルは、一次オーディオにミキシングを適用するか否かを示すミキシングインジケータを含む。
【００３７】
本発明の他の側面にしたがうと、記録媒体に関連付けられたオーディオデータを再生する再生方法が提供される。この方法は、記録媒体に関連付けられた少なくとも１つの管理ファイルをダウンロードすることであって、管理ファイルは、一次オーディオを含む少なくとも１つのストリームファイルの再生を管理する、ダウンロードすることと、ストリームファイルとダウンロードした管理ファイルとを含む仮想パッケージ（ｖｉｒｔｕａｌ  ｐａｃｋａｇｅ）を生成することと、ダウンロードした管理ファイルに含まれるミキシングインジケータをチェックすることであって、ミキシングインジケータは、一次オーディオにミキシングを適用するか否かを示す、チェックすることと、ミキシングインジケータに基づいて、一次オーディオを、二次オーディオおよび／またはインタラクティブオーディオとミックスするか否かを制御することとを備える。
【００３８】
本発明の他の側面にしたがうと、記録媒体に関連付けられたオーディオデータを再生する再生装置が提供される。この装置は、記録媒体に関連付けられたダウンロードしたデータを保存するためのストレージと、記録媒体に関連付けられた少なくとも１つの管理ファイルをストレージにダウンロードするためのコントローラとを備える。ここで、管理ファイルは、一次オーディオを含む少なくとも１つのストリームファイルの再生を管理する。また、コントローラは、ストリームファイルとダウンロードした管理ファイルとを含む仮想パッケージを生成し、ダウンロードした管理ファイルに含まれるミキシングインジケータをチェックする。ここで、ミキシングインジケータは、一次オーディオにミキシングを適用するか否かを示す。また、コントローラは、ミキシングインジケータに基づいて、一次オーディオを、二次オーディオおよび／またはインタラクティブオーディオとミックスするか否かを制御する。
【００３９】
本発明の他の側面にしたがうと、オーディオデータを再生する再生方法が提供される。この方法は、オーディオデータの再生を管理するための管理情報に含まれるミキサバイパスインジケータ（ｍｉｘｅｒ  ｂｙｐａｓｓ  ｉｎｄｉｃａｔｏｒ）をチェックすることと、ミキサバイパスインジケータに基づいて、ミキサをバイパスするか否かを制御することとを備える。ここで、ミキサバイパスインジケータは、二次オーディオおよび／またはインタラクティブオーディオ用のミキサをバイパスするか否かを示す。
【００４０】
本発明の他の側面にしたがうと、オーディオデータを有する記録媒体が提供される。この記録媒体は、一次オーディオを含む少なくとも１つのストリームファイルと、当該ストリームファイルの再生を管理するための少なくとも１つの管理ファイルとを備える。ここで、管理ファイルは、二次オーディオおよび／またはインタラクティブオーディオ用のミキサをバイパスするか否かを示すミキサバイパスインジケータを含む。
【００４１】
以上の包括的な説明および後述する本発明の詳細な説明はいずれも、例示的かつ説明的なものであって、特許請求する本発明のさらなる説明を提供するよう意図したものである。
【発明の効果】
【００４２】
本発明によれば、コンテンツプロバイダは、ミキシングインジケータを用いて、一次オーディオをミックスするか否かを制御することができる。コンテンツプロバイダは、オリジナルのオーディオに近いオーディオをユーザに提供したい場合、ミキシングインジケータを「０」に設定して、一時オーディオがミックスされないようにすることができる。
【００４３】
本発明によれば、コンテンツプロバイダは、オーディオデータをミックスするか否かを制御することができる。その結果、コンテンツプロバイダは、コンテンツの再生をアクティブに制御することができる。
【発明を実施するための最良の形態】
【００４４】
本発明のさらなる理解の助けとなるよう提供する添付の図面は、本願に組み込まれ、本願の一部を構成する。添付の図面は、本発明の（諸）実施形態を例示するものであり、本明細書の記載と併せて、本発明の原理を説明する役割を果たすものである。
【００４５】
以下、添付の図面に例示された諸々の例を参照しながら、本発明の好適な実施形態について詳細に説明する。図面中、同一または類似した部分には可能な限り、同一の参照番号を付している。
【００４６】
以下では、本発明の理解および説明の便宜のために、ＢＤといった光ディスクを、本発明における記録媒体として例示的に使用することにする。ただし、本発明の技術的思想は、本発明の範囲および趣旨から逸脱しない限り、ＨＤ−ＤＶＤなどの他の記録媒体にも適用可能であることに留意されたい。
【００４７】
本発明において、「ローカルストレージ」という用語は、光記録再生装置（図１）内に含まれる保存手段を示すものであり、必要な情報およびデータが、必要に応じて当該保存手段に保存され、ユーザによって使用される。現在、一般的に使用されるローカルストレージには、「ハードディスク」、「システムメモリ」、「フラッシュメモリ」などがあるが、本発明は、これらに限定されるものではない。
【００４８】
特に、本発明において、「ローカルストレージ」は、記録媒体（例えば、ＢＤ）に関連付けられたデータを保存する手段としても使用される。この記録媒体に関連付けられたローカルストレージ内に保存されるデータは、外部からダウンロードされるデータであることが一般的である。
【００４９】
記録媒体から一部許容されたデータを直接読み出すか、または、記録媒体の記録再生に関連付けられたシステムデータ（例えば、メタデータ）を生成し、ローカルストレージ内に保存することも可能であるということは明らかであろう。
【００５０】
説明の便宜上、記録媒体に記録されたデータを、「オリジナルデータ」と呼び、ローカルストレージ内に保存されたデータのうち記録媒体に関連付けられたデータを、「アディショナルデータ（ａｄｄｉｔｉｏｎａｌ  ｄａｔａ）」と呼ぶことにする。
【００５１】
本発明において、「タイトル（ｔｉｔｌｅ）」という用語は、ユーザとインターフェースをとる再生単位を意味する。各タイトルは、特定のオブジェクト（ｏｂｊｅｃｔ）とリンクされていて、オブジェクトに保存されたコマンドまたはプログラムにしたがって、ディスクに記録された該当するタイトルに関連付けられたストリームが再生される。特に、説明の便宜上、ディスク内のＭＰＥＧ圧縮方式にしたがって記録された高画質の動画情報のタイトルのうち、切れることのないマルチアングル、マルチストーリ、言語クレジット、およびディレクタズカットなどをサポートするタイトルを、「ＨＤＭＶタイトル」と呼ぶ。また、ディスク内のＭＰＥＧ圧縮方式にしたがって記録された高画質の動画情報のタイトルのうち、記録媒体内のタイトルの更新およびネットワークとの接続をサポートし、高い対話性を可能にするＪａｖａ（登録商標；以降省略）プログラム情報が記録されたタイトルを、「ＢＤ−Ｊタイトル」と呼ぶ。
【００５２】
本発明において、タイトルは、インデックステーブル内に含まれるインデックス項目を意味することもある。すなわち、記録媒体がロードされたときに初めて再生される、スクリーン上の情報である「第１再生（ｆｉｒｓｔ  ｐｌａｙｂａｃｋ）」、および、メニュー画面を提供する「トップメニュー（ｔｏｐ  ｍｅｎｕ）」もまた、タイトルに属するものである。すなわち、ユーザとインターフェースをとる再生単位であれば、その名称に関らず、いずれも本発明のタイトルに属する。
【００５３】
図１は、本発明の理解を助けるための、光記録再生装置１０と周辺機器との使用の例を示す概念図である。
【００５４】
光記録再生装置１０は、様々な光ディスクにデータを記録し、かつ様々な光ディスクからデータを再生することができる。
【００５５】
光記録再生装置１０は、特定の光ディスクのみにデータを記録し、かつ特定の光ディスクのみからデータを再生する場合もあるし、光ディスクにデータを記録することはできないが、光ディスクからデータを再生のみできる場合もある。本発明では、本発明によって実現されるＢＤと周辺機器との接続性を考慮して、ＢＤからデータを再生することが可能なＢＤプレーヤ、および、ＢＤにデータを記録し、かつＢＤからデータを再生することが可能なＢＤレコーダを使用する。光記録再生装置１０は、コンピュータなどの特定の装置に組み込まれたドライブにも適用可能であることは、当該技術分野では周知のことである。
【００５６】
光記録再生装置１０は、外部入力信号を受信して、この信号を処理する機能を有するので、ユーザは、光ディスク３０におけるデータの記録再生機能に加えて、外部ディスプレイ２０のスクリーンを介して、処理された結果を見ることができる。この場合、外部入力信号として、デジタルマルチメディア放送やインターネットから得られた信号があるが、これらに限定されるものではない。特に、インターネットは、誰でも容易にアクセスできる媒体であって、光記録再生装置１０を介してインターネット上の特定のデータをダウンロードして利用することができる。
【００５７】
外部ソースとしてコンテンツを提供する者は、コンテンツプロバイダ（ＣＰ）と呼ばれる。
【００５８】
また、コンテンツは、タイトルを構成する内容を示すもの、すなわち、記録媒体の製作者（ａｕｔｈｏｒ）により提供されるデータを意味する。
【００５９】
オリジナルデータおよびアディショナルデータについて、以下で詳細に説明する。例えば、光ディスクに記録されるオリジナルデータとして、特定のタイトル用に多重化された（ｍｕｌｔｉｐｌｅｘｅｄ）オーディオおよびビデオ（ＡＶ）ストリームが記録される場合、インターネット上のアディショナルデータとして、オリジナルデータのオーディオストリーム（例えば、韓国語）とは異なるオーディオストリーム（例えば、英語）を提供することができる。ユーザは、インターネット上のアディショナルデータであるオーディオストリーム（例えば、英語）をダウンロードし、オリジナルデータであるＡＶストリームと共にアディショナルデータを再生することを望む場合もあるし、アディショナルデータのみを再生することを望む場合もある。したがって、オリジナルデータとアディショナルデータとの関連性を規定し、かつこうしたデータをユーザの要求に応じて管理し再生する方法が必要とされる。
【００６０】
説明の便宜上、ディスクに記録された信号をオリジナルデータと呼び、ディスク外部に記録された信号をアディショナルデータと呼んだが、これは、オリジナルデータおよびアディショナルデータを取得する方法にしたがって区分しただけであり、オリジナルデータとアディショナルデータとが、必ずしも特定のデータに限定されるわけではない。したがって、アディショナルデータとしては、オーディオ、プレゼンテーショングラフィック（ＰＧ：ｐｒｅｓｅｎｔａｔｉｏｎ  ｇｒａｐｈｉｃ）、インタラクティブグラフィック（ＩＧ：ｉｎｔｅｒａｃｔｉｖｅ  ｇｒａｐｈｉｃ）、テキストサブタイトル（ｔｅｘｔ  ｓｕｂｔｉｔｌｅ）、前述したデータ全てを含む多重化されたＡＶストリーム、およびビデオが挙げられるが、これらに限定されるものではない。光ディスク外部に記録され、かつオリジナルデータに関連付けられた属性を有するデータは、アディショナルデータとして使用することができる。
【００６１】
また、アディショナルデータは、インデックスファイル、プレイリストファイル（＊．ｍ２ｔｓ）、クリップ情報（ｃｌｉｐ−ｉｎｆｏ）ファイル（＊．ｃｌｐｉ）、コンテンツ、またはタイトル単位でダウンロードされてもよい。
【００６２】
ユーザの要求を実現するには、オリジナルデータとアディショナルデータとの間の相互に関連したファイル構造が必要となる。ＢＤにおいて使用されるファイル構造、およびデータ記録構造については、図２および図３を参照しながら、以下で詳細に説明する。
【００６３】
図２は、本発明にしたがう記録媒体、例えば、ＢＤ−ＲＯＭなどのディスクに記録されるデータのファイル構造の一実施形態を示す図である。図２に示すファイル構造について、以下で説明する。
【００６４】
本発明にしたがう再生を管理するためのファイル構造は、１つのルートディレクトリの下に、１つまたは複数のＢＤＭＶディレクトリを含む。このＢＤＭＶディレクトリ内には、ユーザとの対話性を確実にすることができる一般的なファイル（すなわち、上位ファイル）情報として機能するインデックスファイル「ｉｎｄｅｘ．ｂｄｍｖ」だけでなく、オブジェクトファイル「ＭｏｖｉｅＯｂｊｅｔ．ｂｄｍｖ」も含まれる。ファイル構造にはまた、データを再生するための方法に関連付けられた、ディスクに記録された実際のデータの情報、およびその他の情報を保存するための様々なディレクトリが含まれる。このようなディレクトリとして、例えば、プレイリストディレクトリ（ＰＬＡＹＬＩＳＴ）、ｃｌｉｐ−ｉｎｆｏディレクトリ（ＣＬＩＰＩＮＦ）、ストリームディレクトリ（ＳＴＲＥＡＭ）、ＢＤ−Ｊオブジェクトファイルを含むＢＤ−Ｊオブジェクトディレクトリ（ＢＤＪＯ）、およびＪＡＲファイルを含むＪａｖａディレクトリ（ＪＡＶＡ）が挙げられる。ファイル構造にはまた、ディスクの再生に関連付けられた補助データ（ａｕｘｉｌｉａｒｙ  ｄａｔａ）から構成される補助ディレクトリ（ＡＵＸＤＡＴＡ）も含まれる。前述したディレクトリ、およびこれらのディレクトリに含まれる様々なファイルについて、以下で詳細に説明する。
【００６５】
ストリームディレクトリ（ＳＴＲＥＡＭ）には、ディスクに特定のフォーマットで記録された複数のＡＶストリームファイルが含まれる。例えば、ストリームディレクトリ（ＳＴＲＥＡＭ）では、ストリームファイル（０１０００．ｍ２ｔｓ、．．．）の拡張子の名称を、「＊．ｍ２ｔｓ」という特定の拡張子として使用する。一般に、ストリームファイルは、本発明に関連したコンテンツとして、動画データを記録する。
【００６６】
ｃｌｉｐ−ｉｎｆｏディレクトリ（ＣＬＩＰＩＮＦ）は、上述したストリームファイルと１対１対応する、複数のクリップ情報ファイル（０１０００．ｃｌｐｉ、．．．）から構成される。特に、クリップ情報ファイル（＊．ｃｌｐｉ）は、対応するストリームファイルの属性情報およびタイミング情報（ｔｉｍｉｎｇ  ｉｎｆｏｒｍａｔｉｏｎ）を記録する。特に、ＢＤ規格では、ストリームファイル（＊．ｍ２ｔｓ）と１対１対応するクリップ情報ファイル（＊．ｃｌｐｉ）はまとめて「クリップ（Ｃｌｉｐ）」と呼ばれる。すなわち、このことは、１つのストリームファイル（＊．ｍ２ｔｓ）に対しては、必ず対応するクリップ情報ファイル（＊．ｃｌｐｉ）が存在しなければならないことを示している。
【００６７】
クリップ情報ファイルは、ソースパケット（ｓｏｕｒｃｅ  ｐａｃｋｅｔ）のシーケンスに関するプログラム情報を含む。プログラムは、基本ストリームであるプログラム要素のセットを示すものであり、１つのシーケンスにおいて、プログラムの内容は一定である。このプログラム情報は、プログラムシーケンスごとに適用可能なプログラムマップを含むトランスポートパケットのパケット識別子（ＰＩＤ）、プログラムシーケンスにおいて定義された基本ストリームの数、基本ストリームのパケット識別子、および基本ストリームのコーディング情報を含む。
【００６８】
プレイリストディレクトリ（ＰＬＡＹＬＩＳＴ）は、複数のプレイリストファイル（０００００．ｍｐｌｓ、．．．）を含む。各プレイリストファイル（＊．ｍｐｌｓ）は、特定のクリップ（ｃｌｉｐ）が再生される再生時間を指定し、したがって、このクリップが再生時間を指定する。この再生時間はプレイアイテム（ＰｌａｙＩｔｅｍ）とも呼ばれる。各プレイリストファイル（＊．ｍｐｌｓ）には、１つまたは複数のプレイアイテム、および、１つまたは複数のサブプレイアイテム（ＳｕｂＰｌａｙＩｔｅｍ）を含めることができる。プレイアイテムおよびサブプレイアイテムの各々は、再生しようとする特定のクリップの再生開始時間（ＩＮ−Ｔｉｍｅ）および再生終了時間（ＯＵＴ−Ｔｉｍｅ）に関する情報を含む。すなわち、１つまたは複数のプレイアイテム（ＰｌａｙＩｔｅｍ）の組合せを用いて、所望のクリップの再生を行うことができるように、プレイリストファイル（＊．ｍｐｌｓ）は、ファイル構造全体に含まれる基本再生管理ファイル単位として使用される。
【００６９】
プレイリストファイル（＊．ｍｐｌｓ）は、前述したオブジェクトファイルの特定のオブジェクトにおけるコマンドによってのみ動作する。したがって、ディスク再生シナリオの観点からすると、オブジェクトは、動的なシナリオを実行または管理し、プレイリストファイル（＊．ｍｐｌｓ）は、静的なシナリオを実行または管理する。
【００７０】
また、プレイリストファイルは、プレイリストの再生制御に関するパラメータが保存されるプレイリストアプリケーション情報を含む。このプレイリストアプリケーション情報には、プレイリスト内のプレイアイテムの再生タイプ情報、プレイリストの持続期間（ｄｕｒａｔｉｏｎ）の間にユーザ操作を許可するか否かを示すユーザ操作マスクテーブル、および、光記録再生装置がプレイリストに自由にアクセスし、ジャンプや再開などのユーザ操作といった動作を実行することができるか否かを示すプレイリストランダムアクセスフラグを含めることができる。
【００７１】
プレイリストファイル内の１つまたは複数のプレイアイテムを用いてデータを再生するプロセスは、メインパス（ｍａｉｎ  ｐａｔｈ）と呼ばれ、個々のサブプレイアイテムを用いてデータを再生するプロセスは、サブパス（ｓｕｂ−ｐａｔｈ）と呼ばれる。メインパスは、プレイリストのマスタプレゼンテーション（ｍａｓｔｅｒ  ｐｒｅｓｅｎｔａｔｉｏｎ）を提供し、サブパスは、マスタ再生に関連付けられた補助的なプレゼンテーション（ａｕｘｉｌｉａｒｙ  ｐｒｅｓｅｎｔａｔｉｏｎ）を提供する。プレイリストファイルは、メインパスを含まなければならない。プレイリストファイルには、サブプレイアイテムの存在に応じて、必要に応じて、少なくとも１つのサブパスを含めることができる。結論として、プレイリストファイルは、１つまたは複数のプレイアイテムの組合せによって所望のクリップの再生を行うための、再生管理ファイル構造全体における基本再生管理ファイル単位として使用される。
【００７２】
各プレイアイテムは、光記録再生装置１０がプレイアイテムおよび関連したサブパスのプレゼンテーションの間に選択できる基本ストリームのリストを定義したストリームナンバテーブル（ＳＴＮ  ｔａｂｌｅ）を含む。プレイリスト内の各プレイアイテムのストリームナンバテーブルのために、コンデンツ製作者は、メインクリップおよびサブパスのどんな基本ストリームがストリームナンバテーブル内にエントリを有するかを決定する。
【００７３】
このストリームナンバテーブルは、一次ビデオストリームナンバ（ｐｒｉｍａｒｙ  ｖｉｄｅｏ  ｓｔｒｅａｍ  ｎｕｍｂｅｒ）、一次オーディオストリームナンバ（ｐｒｉｍａｒｙ  ａｕｄｉｏ  ｓｔｒｅａｍ  ｎｕｍｂｅｒ）、プレゼンテーショングラフィック／テキストサブタイトルストリームナンバ（ＰＧ  ｔｅｘｔＳＴ  ｓｔｒｅａｍ  ｎｕｍｂｅｒ）、インタラクティブグラフィックストリームナンバ（ＩＧ  ｓｔｒｅａｍ  ｎｕｍｂｅｒ）、二次オーディオストリームナンバ（ｓｅｃｏｎｄａｒｙ  ａｕｄｉｏ  ｓｔｒｅａｍ  ｎｕｍｂｅｒ）、二次ビデオストリームナンバ（ｓｅｃｏｎｄａｒｙ  ｖｉｄｅｏ  ｓｔｒｅａｍ  ｎｕｍｂｅｒ）、およびＰｉＰ（Ｐｉｃｔｕｒｅ  ｉｎ  Ｐｉｃｔｕｒｅ）プレゼンテーショングラフィック／テキストサブタイトルストリームナンバ（ＰｉＰ  ＰＧ  ｔｅｘｔＳＴ  ｓｔｒｅａｍ  ｎｕｍｂｅｒ）を含む。各ストリームナンバのストリームエントリ（ｓｔｒｅａｍ＿ｅｎｔｒｙ）とストリームナンバに対応する基本ストリームのコーディング関連情報であるストリーム属性（ｓｔｒｅａｍ＿ａｔｔｒｉｂｕｔｅ）とがリストされる。
【００７４】
ここで、一次ビデオ（ｐｒｉｍａｒｙ  ｖｉｄｅｏ）が、メインビデオプログラム用のビデオストリームとして、一次ビデオデコーダ（ｐｒｉｍａｒｙ  ｖｉｄｅｏ  ｄｅｃｏｄｅｒ）に提供され、二次ビデオ（ｓｅｃｏｎｄａｒｙ  ｖｉｄｅｏ）が、ＰｉＰ用のビデオストリームとして、二次ビデオデコーダ（ｓｅｃｏｎｄａｒｙ  ｖｉｄｅｏ  ｄｅｃｏｄｅｒ）に提供される。「ＰｉＰ」という用語は、光記録再生装置１０が、一次ビデオ内に二次ビデオを提示する機能のことを指す。プレゼンテーショングラフィック／テキストサブタイトル（ＰＧ  ｔｅｘｔＳＴ）とは、メインビデオプログラム内に表示されるプレゼンテーショングラフィックまたはテキストサブタイトルのことを指し、ＰｉＰ  プレゼンテーショングラフィック／テキストサブタイトル（ＰｉＰ  ＰＧ  ｔｅｘｔＳＴ）とは、ＰｉＰ用のプレゼンテーショングラフィックまたはテキストサブタイトルのことを指す。インタラクティブグラフィック（ＩＧ）とは、一連のインタラクティブな表示を提供するための情報を含むストリームを指す。また、一次オーディオは、メインオーディオプログラム用の高ビットレートのオーディオストリームであり、二次オーディオは、一次オーディオストリームとミックスされる補助的なオーディオストリームである。
【００７５】
ＢＤＭＶディレクトリは、ＢＤ−Ｊタイトルを再生するためのＢＤ−Ｊオブジェクトファイルが位置するＢＤ−ＪＯディレクトリ（ＢＤＪＯ）を含む。
【００７６】
ＢＤＭＶディレクトリ内のＪａｖａディレクトリ（ＪＡＲ）は、複数のＪａｖａアーカイブ（ＪＡＲ）ファイル（例えば、ＰＰＰＰＰ．ｊａｒ、．．．）を記録している。様々なアプリケーションが、個々のＪＡＲファイルを用いてプログラムされている。ＪＡＲファイルは、複数のファイルを含むグループを配布するために用いられる圧縮ファイルであって、このＪＡＲファイルには通常、特定のＪａｖａプログラムに関連付けられたＪａｖａクラス、補助リソース（ａｕｘｉｌｉａｒｙ  ｒｅｓｏｕｒｃｅ）、およびメタデータが保存される。
【００７７】
補助ディレクトリ（ＡＵＸＤＡＴＡ）は、ディスクの再生に関連付けられた補助的な情報を含むファイルから構成され、補助ディレクトリ（ＡＵＸＤＡＴＡ）には、例えば、再生時におけるクリックサウンド（ｃｌｉｃｋ  ｓｏｕｎｄ）およびメニューサウンド（ｍｅｎｕ  ｓｏｕｎｄ）情報などの、インタラクティブオーディオを提供するサウンドファイル「ｓｏｕｎｄ．ｂｄｍｖ」と、テキストサブタイトルの再生時におけるフォント情報を提供するフォントファイル「１１１１１．ｏｔｆ」とを含めることができる。
【００７８】
メタデータディレクトリ（ＭＥＴＡ）は、メタデータを含む。このメタデータは、データに関するデータであり、サーチファイルまたはディスクライブラリファイルを含む。
【００７９】
上述したファイルおよびディレクトリの位置は、一例に過ぎず、状況に応じて変更可能である。例えば、ＢＤ−ＪＯディレクトリ（ＢＤＪＯ）およびＪａｖａディレクトリ（ＪＡＲ）を含むサブディレクトリが、ルートディレクトリの下に別々に含まれてもよいし、Ｊａｖａディレクトリが、上位ディレクトリとして、ルートディレクトリの下に含まれてもよい。
【００８０】
図３は、光ディスクに記録されるデータ記録構造を示す図であり、前述したファイル構造に関連付けられた情報がディスク内に記録される形態を示している。
【００８１】
ディスクの内周から、ファイル全体を管理するためのシステム情報として機能するファイルシステム情報領域と、記録されたストリーム（＊．ｍ２ｔｓ）を再生するための、インデックスファイル、オブジェクトファイル、プレイリストファイル、およびクリップ情報ファイルを記録するための領域（この領域は、「データベース領域」とも呼ばれる）と、オーディオデータ、ビデオデータ、およびグラフィックデータ等から構成された複数のストリームまたはＪＡＲファイルを記録するためのストリーム領域またはデータ領域とが存在することが確認できる。
【００８２】
データ領域内のコンテンツを再生するためのファイル情報を記録する領域は、管理領域と呼ばれ、ファイルシステム情報領域およびデータベース領域が、この管理領域に該当する。図３に示した個々の領域は、一例を説明するために提示したに過ぎず、本発明は、図３に示した前述の領域の配置構成に限定されるものではない。
【００８３】
図４は、本発明にしたがう光記録再生装置１０の一実施形態を示す構成図である。
【００８４】
光記録再生装置１０は、ピックアップ部１１と、サーボ部１４と、信号プロセッサ１３と、マイクロプロセッサ１６とを備えている。ピックアップ部１１は、光ディスクに記録されたオリジナルデータと、ファイル情報を含む再生管理情報とを読み出す。サーボ部１４は、ピックアップ部１１の動作を制御する。信号プロセッサ１３は、ピックアップ部１１から再生信号を受信し、受信した再生信号を所望の信号値に復元するか、または記録すべき信号を、光ディスクに記録される別の信号に変調し、復元または変調した結果を伝送する。マイクロプロセッサ１６は、光記録再生装置に備えられたこれら構成要素の動作全般を制御する。
【００８５】
ピックアップ部１１、サーボ部１４、信号プロセッサ１３、およびマイクロプロセッサ１６を、総称して記録再生部とも呼ぶ。再生の観点からすると、記録再生部は、コントローラ１２の制御下で、光ディスク３０またはローカルストレージ１５からデータを読み取り、当該データをＡＶデコーダ１７ｂに提供する。すなわち、再生記録部は、再生の観点からすると、データを読み取る再生部（読み取り部）の役割を担う。記録再生部は、ＡＶエンコーダ１８によってエンコードされた信号を受信し、クリップＡＶストリームと、クリップＡＶストリームに関する管理情報とを光ディスク３０に記録する記録部の役割を担う。
【００８６】
コントローラ１２は、ユーザのコマンドによって、光ディスク外部に記録されたアディショナルデータをダウンロードし、当該アディショナルデータをローカルストレージ１５に保存する。そして、コントローラ１２は、記録媒体に記録されたデータとローカルストレージに記録されたデータとを再生するために、仮想パッケージを生成し、生成した仮想パッケージを用いて、ユーザの要求に応じて、オリジナルデータおよび／またはアディショナルデータを再生する。
【００８７】
ここで、仮想パッケージは、仮想ファイルシステム（ｖｉｒｔｕａｌ  ｆｉｌｅ  ｓｙｓｔｅｍ）によって実行されるバインディング動作（ｂｉｎｄｉｎｇ  ｏｐｅｒａｔｉｏｎ）を通じて生成される。仮想パッケージは、異なる領域にそれぞれ保存されている、ディスク内のオリジナルデータから構成されたオリジナルクリップの再生と、ローカルストレージ内のアディショナルデータから構成されたアディショナルクリップの再生とを管理するファイル構造として使用される。
【００８８】
コントローラ１２とマイクロプロセッサ１６とは、別個に構成されて動作してもよい。代替として、コントローラ１２の機能とマイクロプロセッサ１６の機能とを統合して、１つのユニットとして動作するようにしてもよい。コントローラ１２は、光記録再生装置１０内に備えられるプログラム（ソフトウェア）および／またはハードウェアによって実装することができる。
【００８９】
本発明において、コントローラ１２は、一次オーディオストリームにオーディオミキシングを適用するか否かを示す情報を含むクリップＡＶストリームの管理情報を生成し、記録部を制御することで、当該管理情報を記録媒体に記録する。
【００９０】
ＡＶデコーダ１７は、コントローラ１２から制御信号を受信すると、記録媒体および／またはローカルストレージ１５から読み取ったＡＶ信号を最終的にデコードして、デコードした結果をユーザに提供する。ＡＶデコーダ１７には、信号の種類に応じて、複数のデコーダを含めてもよい。
【００９１】
ＡＶエンコーダ１８は、コントローラ１２から制御信号を受信すると、入力信号を特定のフォーマットの信号（例えば、ＭＰＥＧ２トランスポートストリーム）に変換し、変換した結果を信号プロセッサ１３に伝送することによって、光ディスクに所望の信号を記録することができる。
【００９２】
本発明は、記録媒体に関連付けられたオーディオデータの再生に関するものである。このオーディオデータには、一次オーディオ、二次オーディオおよび／またはインタラクティブオーディオを含めることができる。本発明においては、これらオーディオデータ間のミキシングを制御し、オーディオデータを表現するための方式を制御する方法が提供される。
【００９３】
図５は、本発明にしたがうオーディオミキシングの理解を助けるための、オーディオミキシングモデルを示す概念図である。
【００９４】
オーディオミキシングとは、一次オーディオストリームを、二次オーディオストリームおよび／またはインタラクティブオーディオとミックスすることを指す。以下において、一次オーディオストリームを二次オーディオストリームとミックスすることを二次オーディオミキシング（ｓｅｃｏｎｄａｒｙ  ａｕｄｉｏ  ｍｉｘｉｎｇ）と呼び、一次オーディオストリームをインタラクティブオーディオとミックスすることをインタラクティブオーディオミキシング（ｉｎｔｅｒａｃｔｉｖｅ  ａｕｄｉｏ  ｍｉｘｉｎｇ）と呼ぶことにする。
【００９５】
本発明にしたがうオーディオミキシングモデルでは、ミキシング係数（ｍｉｘｉｎｇ  ｃｏｅｆｆｉｃｉｅｎｔ）を用いて、一次オーディオストリームを、二次オーディオストリームおよび／またはインタラクティブオーディオとミックスする。デコードおよびミキシングを実行するために、このモデルは、２つのオーディオデコーダＤ１およびＤ２と、２つのオーディオミキサＭ１およびＭ２とを含む。コンテンツプロバイダは、オーディオミキシング制御パラメータを用いて、オーディオミキシングプロセスを制御する。
【００９６】
メインビデオプログラム用のオーディオストリームである一次オーディオは一般に、記録媒体に含まれたムービーサウンドトラックである。しかし、一次オーディオは、ネットワークからダウンロードされ、ローカルストレージ１５に保存されてもよい。記録媒体および／またはローカルストレージ内に一次オーディオストリームが多重化されたＡＶストリームは、再生部によって読み出され、ＰＩＤフィルタに提供される。このＡＶストリームは、ＰＩＤフィルタにおいて、ＰＩＤにしたがってソートされ、トランスポートストリームのうちで必要なトランスポートパケットが出力され、第１バッファ（Ｂ１）５１０ａを介して、一次オーディオデコーダ（Ｄ１）５２０ａに提供される。一次オーディオストリームは、一次オーディオデコーダ５２０ａにおいて、ＬＰＣＭ（Ｌｉｎｅａｒ  Ｐｕｌｓｅ  Ｃｏｄｅ  Ｍｏｄｕｌａｔｉｏｎ）を用いてデコードされる。
【００９７】
二次オーディオは、一次オーディオとミックスされる補助的なオーディオである。二次オーディオは、一次オーディオストリームとミックスされるように設計された補助的なオーディオストリームまたはディレクタのコメントである。二次オーディオは一般に、光記録再生装置のローカルストレージ１５に保存されるが、記録媒体に記録されてもよい。必要なトランスポートストリームが、ＰＩＤフィルタによって、二次オーディオから選択され、第２バッファ（Ｂ２）５１０ｂを介して、二次オーディオデコーダ（Ｄ２）５２０ｂに提供される。二次オーディオデコーダ５２０ｂは、ＬＰＣＭを用いて、提供された二次オーディオストリームをデコードする。さらに、二次オーディオストリームに含まれるミキシングメタデータ（ｍｉｘｉｎｇ  ｍｅｔａｄａｔａ）を抽出することもできる。このミキシングメタデータは、ミキシング行列（ｍｉｘ  ｍａｔｒｉｘ）に変換されて、ミキシングプロセスで用いられる。
【００９８】
二次オーディオデコーダ５２０ｂによってデコードされた各チャンネル出力は、オーディオミキサ（Ｍ１）５３０ａに提供され、一次オーディオデコーダ５２０ａによってデコードされた少なくとも１つのチャンネル出力とミックスすることができる。
【００９９】
オーディオミキサ（Ｍ１）５３０ａからの出力結果は、二次オーディオミキサ（Ｍ２）５３０ｂに提供され、インタラクティブオーディオとミックスすることができる。インタラクティブオーディオは、アプリケーションによってアクティブ化されるＬＰＣＭオーディオであって、第３バッファ（Ｂ３）５１０ｃを介して、オーディオミキサ（Ｍ２）（５３０ｂ）において、一次オーディオとミックスすることができる。インタラクティブオーディオは、二次オーディオとミックスされなかった一次オーディオとミックスすることもできる。例えば、二次オーディオがオーディオ効果の一部として提供された場合、インタラクティブオーディオは、二次オーディオとミックスされた一次オーディオとミックスされる。インタラクティブオーディオは、ローカルストレージ１５または記録媒体に保存することができ、一般に、ボタンサウンドなどのインタラクティブなアプリケーションに関連付けられた動的サウンドを提供するのに用いられる。
【０１００】
オーディオミキサ（Ｍ２）（５３０ｂ）からの出力結果は、アナログ出力部によってアナログ信号に変換されるか、デジタル出力部を介してデジタルフォーマットで外部のデジタル−アナログコンバータ（ＤＡＣ）に提供され、このＤＡＣによって、アナログ信号に変換される。
【０１０１】
本発明では、このミキシングプロセスにおいて、一次オーディオは、オーディオミキシングモデルのモジュール群を経由するので、オリジナルデータが歪められ、その結果、オーディオ品質の低下およびノイズの発生をもたらす。しかし、オーディオファン（ａｕｄｉｏｐｈｉｌｅ）またはオーディオ専門家にとっては、可能な限りオリジナルデータの歪みを少なくするように、一次オーディオを、二次オーディオおよび／またはインタラクティブオーディオとミックスせずに再生するよう要求する場合がある。本発明では、このような要求に応えるために、オーディオデータの再生を管理するための管理情報に、ミキシングを適用するか否かを示すミキシングインジケータが含まれる。コンテンツプロバイダが、ユーザにミックスされないオーディオを聞くことを許可する場合、コンテンツプロバイダは、提供するオーディオデータにミキシングを適用しないことを示す情報を、オーディオデータの管理情報に設定することができる。一般的に、この管理情報は、プレイリストファイルまたはクリップ情報ファイルなどのデータベースファイルに保存されて、光記録再生装置１０に提供される。
【０１０２】
図６ａ〜図６ｃは、本発明にしたがうオーディオミキシングインジケータが含まれた管理情報の実施形態を示す図である。
【０１０３】
図６ａは、オーディオミキシングインジケータが、プレイリストファイル内のプレイリストアプリケーション情報（ＡｐｐＩｎｆｏＰｌａｙＬｉｓｔ）に含まれる場合を示し、図６ｂは、オーディオミキシングインジケータが、プレイリストファイル内のストリーム属性情報に含まれる場合を示し、図６ｃは、オーディオミキシングインジケータが、クリップ情報ファイル内のストリームコーディング情報（ＳｔｒｅａｍＣｏｄｉｎｇＩｎｆｏ）に含まれる場合を示している。
【０１０４】
図６ａを参照すると、コンテンツプロバイダは、プレイリストファイルに二次オーディオミキシングおよび／またはインタラクティブオーディオミキシングを適用するか否かを示すオーディオミキシングインジケータ６００ａを設定することができる。図６ａは、ミキシングインジケータがプレイリストアプリケーション情報に含まれる場合を示し、このプレイリストアプリケーション情報には、プレイリストの再生を制御するためのパラメータが保存される。
【０１０５】
例えば、コントローラ１２は、ミキシングインジケータをチェックし、ミキシングインジケータが「０」に設定されていた場合、プレイリストにオーディオミキシングを適用しない。その結果、このプレイリストに基づいて、再生される一次オーディオストリームは、二次オーディオおよびインタラクティブオーディオとミックスされないことになる。したがって、ミキシングインジケータが「０」に設定されていた場合、プレイリストのストリームナンバテーブルには、二次オーディオストリームエントリが定義されなくてもよい。さらに、このプレイリストが、インタラクティブグラフィックストリームを使用する場合、このインタラクティブグラフィックストリームによって選択されるか、またはアクティブ化される、サウンドファイル「ｓｏｕｎｄ．ｂｄｍｖ」内にサウンドデータが指定されなくてもよい。Ｊａｖａプラットホームを使用するアプリケーションがこのプレイリストを用いる場合、このアプリケーションは、インタラクティブオーディオミキシングを実行するアプリケーションを使用しなくなる。
【０１０６】
本発明にしたがう光記録再生装置１０にデジタル出力部が備えられていた場合、このミックスされなかったオーディオストリームは、このデジタル出力部によって、デジタル伝送信号に変換され、このデジタル伝送信号は、デジタル−アナログコンバータ（ＤＡＣ）に提供される。一般的なサウンドカードは、内部的にデジタルデータを処理するので、デジタルデータは、出力プロセスにてアナログデータに変換されなければならない。この場合、サウンドカードに組み込まれたデジタル−アナログコンバータが用いられる。しかし、大部分のサウンドカードプロセッサのデジタル／アナログ性能は、オーディオファンまたはオーディオ専門家にとって適してはいないので、音質の低下またはノイズの発生がもたらされる場合がある。
【０１０７】
デジタル出力部は、音源から出力されるデジタルデータを高仕様の外部デジタル−アナログコンバータに出力するので、デジタル機器間でオリジナルオーディオデータが歪められず、不必要なノイズが最大限に減らされることになる。デジタル出力部は、デジタルオーディオ機器間の相互連結において用いられるデジタルインターフェースの役割を果たす。
【０１０８】
一方、ミキシングインジケータが「１」に設定されていた場合、コントローラ１２は、このプレイリストに二次オーディオミキシングおよび／またはインタラクティブオーディオミキシングを適用することができる。すなわち、このプレイリストに基づいて、再生される一次オーディオを、二次オーディオおよび／またはインタラクティブオーディオとミックスすることができる。
【０１０９】
二次オーディオミキシングおよび／またはインタラクティブオーディオミキシングが適用された場合、このミックスされたオーディオは、アナログ出力部またはデジタル出力部に出力される。デジタル出力部は、デコードされていないフォーマットのデータを受信して処理する。したがって、オーディオデータがミックスされた場合、ミックスされたオーディオは、デジタル出力部が処理できる信号にエンコードされ、エンコードされた結果が、デジタル出力部に提供される。
【０１１０】
図６ｂは、本発明の他の実施形態を示しており、この実施形態では、ミキシングインジケータが、該当するストリームのストリーム属性情報に含まれる。ストリーム属性情報は、ストリームの再生を管理するためのプレイリスト内のプレイアイテムのストリームナンバテーブルに含めることができる。図６ａに示した実施形態では、プレイリストによって管理されるオーディオストリーム全体にミキシングを適用するか否かが定義されるが、図６ｂに示す実施形態では、ストリームごとにミキシングを適用するか否かが定義される。
【０１１１】
ストリームコーディングタイプは、ストリーム属性に対応するストリームナンバに関連付けられた基本ストリームのコーディングタイプを示している。例えば、ストリームコーディングタイプが「０ｘ０２」である基本ストリームは、一次／二次ビデオ用のＭＰＥＧ−２ビデオストリームを示し、「０ｘ１Ｂ」である基本ストリームは、一次／二次ビデオ用のＭＰＥＧ−４ビデオストリームを示し、「０ｘＥＢ」である基本ストリームは、一次／二次ビデオ用の「ＳＭＰＴＥ  ＶＣ−１」ビデオストリームを示している。また、ストリームコーディングタイプが「０ｘ８０」である基本ストリームは、一次オーディオ用の「ＨＤＭＶ  ＬＰＣＭ」オーディオストリームを示し、「０ｘ８１」である基本ストリームは、一次オーディオ用のドルビデジタル（ＡＣ−３）オーディオストリームを示し、「０ｘ８２」である基本ストリームは、一次オーディオ用の「ＤＴＳ（Ｄｅｃｏｄｉｎｇ  Ｔｉｍｅ  Ｓｔａｍｐ）」オーディオストリームを示し、「０ｘ８３」である基本ストリームは、一次オーディオ用のドルビロスレス（ｌｏｓｓｌｅｓｓ）オーディオストリームを示し、「０ｘ８４」である基本ストリームは、一次オーディオ用のドルビデジタルプラスストリームを示し、「０ｘ８５」である基本ストリームは、一次オーディオ用の、「ＸＸＬ」以外の「ＤＴＳ−ＨＤ」オーディオストリームを示し、「０ｘ８６」である基本ストリームは、一次オーディオ用の「ＤＴＳ−ＨＤ」オーディオストリームを示し、「０ｘＡ１」である基本ストリームは、二次オーディオ用のドルビデジタルプラスオーディオストリームを示し、「０ｘＡ２」である基本ストリームは、二次オーディオ用の「ＤＴＳ−ＨＤ」オーディオストリームを示している。
【０１１２】
図６ｂを参照すると、ストリームコーディングタイプがオーディオストリームのうちの１つを示す場合、ストリーム属性情報に対応するオーディオストリームにオーディオミキシングを適用するか否かを示すミキシングインジケータが設定される（６００ｂ）。例えば、ミキシングインジケータが「０」に設定されていた場合、コントローラ１２は、該当するオーディオストリームにオーディオミキシングを適用せず、このオーディオストリームがオーディオミキサ５３０ａおよび５３０ｂをバイパスするように制御する。その結果、一次オーディオストリームは、二次オーディオおよび／またはインタラクティブオーディオとミックスされない。一方、ミキシングインジケータが「１」に設定されていた場合、コントローラ１２は、二次オーディオミキシングおよび／またはインタラクティブオーディオミキシングを一次オーディオストリームに適用するよう制御することができる。すなわち、一次オーディオは、二次オーディオおよび／またはインタラクティブオーディオとミックスすることができる。
【０１１３】
オーディオストリームのストリーム属性情報には、ストリーム属性のストリームナンバに関連付けられたオーディオストリームのプレゼンテーションタイプ情報（「ａｕｄｉｏ＿ｐｒｅｓｅｎｔａｔｉｏｎ＿ｔｙｐｅ」）と、オーディオストリームのサンプリング周波数を示す情報（「ｓａｍｐｌｉｎｇ＿ｆｒｅｑｕｅｎｃｙ」）と、オーディオストリームの言語コードを示す情報（「ａｕｄｉｏ＿ｌａｎｇｕａｇｅ＿ｃｏｄｅ」）とを含めることができる。
【０１１４】
図６ｃは、本発明のさらに他の実施形態を示しており、この実施形態では、ミキシングインジケータが、クリップ情報ファイルに含まれる。図６ｃに示す実施形態は、ミキシングインジケータが、プレイリストファイルではなく、クリップ情報ファイルに含まれるという点で、図６ａおよび図６ｂに示した実施形態とは異なる。
【０１１５】
図６ｃを参照すると、クリップ情報ファイルには、プログラムシーケンス（ｐｒｏｇｒａｍ−ｓｅｑｕｅｎｃｅ）に関する情報であるプログラム情報（ＰｒｏｇｒａｍＩｎｆｏ）を含めることができ、このプログラム情報には、ストリームコーディング情報（ＳｔｒｅａｍＣｏｄｉｎｇＩｎｆｏ）を含めることができる。本発明にしたがうミキシングインジケータは、オーディオストリームのストリームコーディングタイプを定義する（６００ｃ）。コントローラ１２は、クリップ情報ファイルをチェックし、このクリップ情報ファイルによって指定されるオーディオストリームにミキシングを適用するか否かを決定する。図６ｃに示した実施形態では、図６ｂに示した実施形態と同様に、ストリームごとにミキシングを適用するか否かを決定することができる。
【０１１６】
クリップ情報ファイルにおいて、オーディオストリームに関するストリームコーディング情報には、図６ｂで説明した、オーディオストリームのプレゼンテーションタイプ情報と、オーディオストリームのサンプリング周波数を示す情報と、オーディオストリームの言語コードを示す情報とを含めることができる。さらに、国コード、著作権者、記録年度、および記録ナンバを含む国際標準記録コード（ＩＳＲＣ）を、ストリームコーディング情報として含めることができる。
【０１１７】
本発明にしたがうミキシングインジケータは、プレイリストプログラム情報、ストリーム属性情報、もしくはストリームコーディング情報のいずれか１つに含まれてもよく、またはストリーム属性情報およびストリームコーディング情報の両方に含まれてもよい。
【０１１８】
プレイリストファイルおよびクリップ情報ファイルなどのオーディオデータの管理情報は、ネットワークを介してダウンロードされてもよい。この場合、コンテンツプロバイダは、本発明にしたがうミキシングインジケータをダウンロードされる管理情報に含めて、ユーザにその管理情報を提供することができる。
【０１１９】
図７ａおよび図７ｂは、本発明にしたがうオーディオデータの再生の一実施形態を示す図であり、オーディオミキシングモデルにおけるオーディオデータを処理して再生する方法を示している。
【０１２０】
本発明にしたがう光記録再生装置１０は、記録媒体に記憶されたデータを再生するために、記録媒体および／またはローカルストレージ１５から、再生されるデータに関する管理情報を読み出してチェックする（Ｓ７１０）。記録媒体および／またはローカルストレージ１５内のＡＶストリームは、この管理情報に基づいて再生される。
【０１２１】
再生されるＡＶストリームは、記録媒体および／またはローカルストレージ１５から読み出され、ＰＩＤにしたがってＰＩＤフィルタによってソートされ、ＡＶデコーダ１７に含まれた該当するデコーダに提供される。一次オーディオのパケット識別子を有し、かつ一次オーディオストリームを伝送するトランスポートパケットが、一次オーディオデコーダ５２０ａに提供されて、一次オーディオデコーダ５２０ａによってデコードされる（Ｓ７２０）。クリップＡＶストリームが二次オーディオストリームを含む場合、二次オーディオのパケット識別子を有し、かつ二次オーディオストリームを伝送するトランスポートパケットが、二次オーディオデコーダ５２０ｂに提供されて、二次オーディオデコーダ５２０ｂによってデコードされる。
【０１２２】
本発明にしたがうコントローラ１２は、オーディオミキシングインジケータに基づいて、一次オーディオの出力パスを制御する。例えば、ミキシングインジケータに基づいて（ａｕｄｉｏ＿ｍｉｘ＿ａｐｐ＝０）、オーディオミキシングを適用しないと示した場合（Ｓ７３０）、コントローラ１２は、デコードされた一次オーディオを、オーディオミキサを経由させずに、アナログ出力部５４０に提供する（Ｓ７５０）。
【０１２３】
一方、ミキシングインジケータに基づいて（ａｕｄｉｏ＿ｍｉｘ＿ａｐｐ＝１）、オーディオミキシングを適用すると示した場合（Ｓ７３０）、コントローラ１２は、デコードされた一次オーディオを、オーディオミキサ５３０ａおよび５３０ｂに提供する。これらオーディオミキサにおいて、デコードされた一次オーディオは、二次オーディオデコーダ５２０ｂによってデコードされた二次オーディオおよび／またはインタラクティブオーディオとミックスされる（Ｓ７４０）。二次オーディオおよび／またはインタラクティブオーディオとミックスされた一次オーディオは、アナログ出力部５４０に提供され（Ｓ７５０）、アナログ出力部５４０においてアナログ信号に変換され、変換された信号が、スピーカを介して出力される（Ｓ７６０）。
【０１２４】
本発明にしたがう光記録再生装置１０では、ユーザが、ミキサ５４０ａおよび５４０ｂをバイパスするよう決定することもできる。この場合、ミックスされないオーディオデータが出力される。
【０１２５】
図８ａおよび図８ｂは、本発明にしたがうオーディオデータの再生の他の実施形態を示す図であり、光記録再生装置１０がデジタル出力部５５０を備えている場合の、オーディオミキシングモデルにおいて、オーディオデータを処理して再生する方法を示している。
【０１２６】
図８ａおよび図８ｂを参照すると、コントローラ１２は、管理情報をチェックし（Ｓ８１０）、この管理情報に含まれるオーディオミキシングインジケータに基づいて、オーディオミキシングを適用するか否かを決定する（Ｓ８２０）。例えば、ミキシングインジケータに基づいて（ａｕｄｉｏ＿ｍｉｘ＿ａｐｐ＝０）、オーディオミキシングを適用しないと示した場合（Ｓ８２０）、コントローラ１２は、記録媒体および／またはローカルストレージ１５から読み取られた一次オーディオを、一次オーディオデコーダ５２０ａと、オーディオミキサ５３０ａおよび５３０ｂとを経由させずに、デジタル出力部５５０に提供するよう制御する（Ｓ８６０）。この一次オーディオは、デジタル出力部５５０によってデジタル伝送信号に変換され、外部のＤＡＣ５６０に提供される（Ｓ８７０）。デジタル伝送信号は、このＤＡＣによってアナログ信号に変換され、このアナログ信号が、スピーカを介して出力される（Ｓ８８０）。
【０１２７】
一方、ミキシングインジケータに基づいて（ａｕｄｉｏ＿ｍｉｘ＿ａｐｐ＝１）、オーディオミキシングを適用しないと示した場合（Ｓ８３０）、コントローラ１２は、一次オーディオが、一次オーディオデコーダ５２０ａにおいてデコードされ（Ｓ８３０）、オーディオミキサ５３０ａおよび５３０ｂに提供されるように制御する。これらオーディオミキサにおいて、デコードされた一次オーディオは、二次オーディオデコーダ５２０ｂにおいてデコードされた二次オーディオおよび／またはインタラクティブオーディオとミックスされる（Ｓ８４０）。
【０１２８】
本発明にしたがうデジタル出力部５５０は、ビットストリームフォーマットのオーディオストリームを受信して、当該オーディオストリームをデジタル伝送信号に変換する。したがって、オーディオストリームがＬＰＣＭデータにデコードされた場合、このデコードされたオーディオストリームは、デジタル出力部５５０において処理可能なビットストリームにエンコードされなければならない。したがって、ミックスされた一次オーディオは、エンコーダ５７０によってビットストリームにエンコードされ（Ｓ８５０）、エンコードされた信号が、デジタル出力部５５０に提供される（Ｓ８６０）。エンコーダ５７０では、ミックスされたオーディオは、一次オーディオストリーム以上の数のチャンネル（５．１チャンネルまで）を有するドルビデジタルオーディオストリームまたはＤＴＳオーディオストリームにエンコードすることができる。
【０１２９】
このエンコードされたオーディオは、デジタル出力部５５０においてデジタル伝送信号に変換され（Ｓ８６０）、このデジタル伝送信号が、ＤＡＣ５６０においてアナログ信号に変換され（Ｓ８７０）、このアナログ信号が出力される（Ｓ８８０）。
【０１３０】
本発明にしたがう光記録再生装置１０には、一次オーディオストリームがミキシングとエンコードとをバイパスされることを許可するユーザ選択オプションを含めることができる。すなわち、ユーザの選択にしたがって、一次オーディオストリームが、ミキサ５３０ａおよび５３０ｂと、エンコーダ５７０とをバイパスするように、光記録再生装置１０を設定することができる。この場合、ミキシングが可能なように、ミキシングインジケータが「１」に設定されるが、ユーザの選択にしたがって、一次オーディオストリームは、ミキシングインジケータが「０」に設定された場合と同じように、直接デジタル出力部５５０に提供することができる。
【産業上の利用可能性】
【０１３１】
当業者であれば、本発明の趣旨または範囲から逸脱することなく、本発明に様々な変更および変形を加えることが可能であることが明らかであろう。したがって、本発明は、添付した特許請求の範囲およびその均等の範囲内にある本発明の変更形態および変形形態を含むものである。
【図面の簡単な説明】
【０１３２】
【図１】本発明の理解を助けるための、光記録再生装置１０と周辺機器との使用の例を示す概念図である。
【図２】本発明にしたがう記録媒体に記録されるデータのファイル構造の一実施形態を示す図である。
【図３】光ディスクに記録されるデータ記録構造を示す図である。
【図４】本発明にしたがう光記録再生装置１０の一実施形態を示す構成図である。
【図５】本発明にしたがうオーディオミキシングの理解を助けるための、オーディオミキシングモデルを示す概略概念図である。
【図６ａ】本発明にしたがうオーディオミキシングインジケータが含まれた管理情報の実施形態を示す図である。
【図６ｂ】本発明にしたがうオーディオミキシングインジケータが含まれた管理情報の実施形態を示す図である。
【図６ｃ】本発明にしたがうオーディオミキシングインジケータが含まれた管理情報の実施形態を示す図である。
【図７ａ】本発明にしたがうオーディオデータの再生の一実施形態を示す図である。
【図７ｂ】本発明にしたがうオーディオデータの再生の一実施形態を示す図である。
【図８ａ】本発明にしたがうオーディオデータの再生の他の実施形態を示す図である。
【図８ｂ】本発明にしたがうオーディオデータの再生の他の実施形態を示す図である。
【図１】
2009516322.tif 000003
【図２】
2009516322.tif 000004
【図３】
2009516322.tif 000005
【図４】
2009516322.tif 000006
【図５】
2009516322.tif 000007
【図６ａ】
2009516322.tif 000008
【図６ｂ】
2009516322.tif 000009
【図６ｃ】
2009516322.tif 000010
【図７ａ】
2009516322.tif 000011
【図７ｂ】
2009516322.tif 000012
【図８ａ】
2009516322.tif 000013
【図８ｂ】
2009516322.tif 000014
【国際調査報告】
2009516322.tif 000015
2009516322.tif 000016